(57)【要約】【課題】  吐水部材の取付け位置を後方としてボウル部の前後方向の開口距離を確保したとしても、吐水部材の固定作業を良好に行うことが可能な便器タンク用手洗い器を提供する。【解決手段】  貯水タンクの上方に設置される便器タンク用手洗い器であって、ボウル部を有し貯水タンクの上に設けられる蓋部材と、蓋部材の後方に取付けられ、ボウル部に手洗い吐水を行う吐水部材と、吐水部材へ手洗い用の水を供給する供給管と、を備え、蓋部材の後方上面には、供給管が挿通した挿通孔が形成され、吐水部材が取付けられた吐水部材支持面が形成されており、蓋部材の後方底面には、供給管が貫通した貫通孔が形成され、供給管が締結部材により固定された供給管固定面が形成されており、供給管は挿通孔から貫通孔に向けて偏心していることを特徴とする。【選択図】図４
2018053485.tif 000002
【特許請求の範囲】
【請求項１】
便器へ供給する洗浄水を貯水した貯水タンクの上方に設置される便器タンク用手洗い器であって、
底部に排水孔が開口されたボウル部を有し、前記貯水タンクの上に設けられる蓋部材と、
前記蓋部材の後方に取付けられ、前記ボウル部に手洗い吐水を行う吐水部材と、
前記吐水部材の下端に固定されており、前記貯水タンクに設けられた給水部に嵌め込まれることで前記吐水部材へ手洗い用の水を供給する供給管と、
を備え、
前記蓋部材の後方上面には、前記供給管が挿通した挿通孔が形成され、前記吐水部材が取付けられた吐水部材支持面が形成されており、
前記蓋部材の後方底面には、前記供給管が貫通した貫通孔が形成され、前記供給管が締結部材により固定された供給管固定面が形成されており、
前記供給管は前記挿通孔から前記貫通孔に向けて偏心していることを特徴とする便器タンク用手洗い器。
【請求項２】
前記供給管は、前記貫通孔よりも下方では略鉛直方向に延びていることを特徴とする請求項１記載の便器タンク用手洗い器。
【請求項３】
前記吐水部材取付け面および前記吐水部材の底面は、前傾した傾斜面によって形成されていることを特徴とする請求項１または請求項２記載の便器タンク用手洗い器。
【発明の詳細な説明】
【技術分野】
【０００１】
本発明は、便器へ供給する洗浄水を貯水した貯水タンクの上方に設置される便器タンク用手洗い器に関する。
【背景技術】
【０００２】
従来から、便器へ供給する洗浄水を貯水した貯水タンクの上方に設置され、用便後の使用者が手洗いを行うための便器タンク用手洗い器が知られている。この便器タンク用手洗い器においては、使用者の手洗い性を向上させるために、ボウル部を広く形成することが求められており、そのために、ボウル部に向けて吐水する吐水部材の取付け状態を工夫することでボウル面を広くするといった工夫が行われている（例えば、特許文献１参照）。
【先行技術文献】
【特許文献】
【０００３】
【特許文献１】特開平１０−３１１０７６号公報
【発明の概要】
【発明が解決しようとする課題】
【０００４】
しかしながら、近年は便器節水化が進み、便器へ供給する洗浄水を貯めておく水量が減少し、そして、デザイン性の向上のために、貯水タンクは前後方向において薄型となってきている。そのため、貯水タンクの上方に設置される便器タンク用手洗い器も前後方向が短くなってきており、そういった中で手洗い性を維持するためには、吐水部材の取り付け位置をより後方へと移動させることが求められている。
【０００５】
しかしながら、便器タンク用手洗い器において、吐水部材の取り付け位置をより後方へと移動させた場合、この吐水部材に手洗い用の水を供給する供給管の固定作業が困難になるといった課題がある。すなわち、便器タンク用手洗い器へ吐水部材を取付けるためには、この吐水部材よりも下方の位置において、吐水部材から下方へ延びる供給管を便器タンク用手洗い器を構成する蓋部材へ固定する施工を行う必要があるが、この供給管の固定に用いるナット等の締結具の締め付け用の空間が狭くなり、施工に利用する工具の挿入に十分な空間が確保できないといった理由により、施工性が低下し、施工不良が発生する懸念があるといった課題がある。
【０００６】
本発明は、上述した課題を解決するためになされたものであり、吐水部材の取付け位置を後方としてボウル部の前後方向の開口距離を確保したとしても、吐水部材の固定作業を良好に行うことが可能な便器タンク用手洗い器を提供することを目的とする。
【課題を解決するための手段】
【０００７】
上記目的を達成するために、本発明に係る便器タンク用手洗い器においては、便器へ供給する洗浄水を貯水した貯水タンクの上方に設置される便器タンク用手洗い器であって、底部に排水孔が開口されたボウル部を有し、貯水タンクの上に設けられる蓋部材と、蓋部材の後方に取付けられ、ボウル部に手洗い吐水を行う吐水部材と、吐水部材の下端に固定されており、貯水タンクに設けられた給水部に嵌め込まれることで吐水部材へ手洗い用の水を供給する供給管と、を備え、蓋部材の後方上面には、供給管が挿通した挿通孔が形成され、吐水部材が取付けられた吐水部材支持面が形成されており、蓋部材の後方底面には、供給管が貫通した貫通孔が形成され、供給管が締結部材により固定された供給管固定面が形成されており、供給管は挿通孔から貫通孔に向けて偏心していることを特徴としている。
【０００８】
この構成によれば、吐水部材の取付け面における挿通孔の位置を蓋部材の後端に近づけてボウル部の前後方法の開口距離を長くして手洗い性を良好に保ちながら、供給管を固定する供給管固定面の位置を蓋部材の後端から離して、供給管を固定する締結部材の設置スペースを確保することができ、その固定作業性を良好とすることができる。
【０００９】
また、本発明に係る便器タンク用手洗い器において、好ましくは、供給管は、貫通孔よりも下方では略鉛直方向に延びていることを特徴とする。
【００１０】
この構成によれば、供給管の下端を貯水タンクの給水管に対して嵌め込む際に、蓋部材を鉛直下方に移動させることで行うことができ、その嵌め込み作業性を良好にすることができる。
【００１１】
また、本発明に係る便器タンク用手洗い器において、好ましくは、吐水部材取付け面および吐水部材の底面は、前傾した傾斜面によって形成されていることを特徴とする。
【００１２】
この構成によれば、傾斜面同士を重合させることで供給管が前方に屈曲する位置に誘導することができ、組み立て時の作業性を良好とすることができる。
【発明の効果】
【００１３】
本発明によれば、吐水部材の取付け面における挿通孔の位置を蓋部材の後端に近づけてボウル部の前後方法の開口距離を長くして手洗い性を良好に保ちながら、供給管を固定する供給管固定面の位置を蓋部材の後端から離して、供給管を固定する締結部材の設置スペースを確保することができ、その固定作業性を良好とすることができる。
【図面の簡単な説明】
【００１４】
【図１】本発明の便器タンク用手洗い器を備えた水洗大便器の斜視図である。
【図２】図１において便器タンク用手洗い器を取り外した場合の斜視図である。
【図３】本発明の便器タンク用手洗い器の斜視図である。
【図４】図３におけるＡ−Ａ線における断面図である。
【図５】本発明における吐水部材及び供給管の断面図である。
【図６】図4における吐水部材及び供給管を取り外した場合の手洗い器の斜視図である。
【発明を実施するための形態】
【００１５】
以下、本発明の実施の形態について添付図面を参照しながら説明する。なお、各図面中、同様の構成要素には同一の符号を付して詳細な説明は適宜省略する。
【００１６】
図１は、本発明の便器タンク用手洗い器を備えた水洗大便器の斜視図である。図２は、図１において便器タンク用手洗い器を取り外した場合の斜視図である。なお、以降の説明においては、水洗大便器の正面に立った使用者から見て、使用者側を「前方」、水洗大便器に向かう側を「後方」と呼び、使用者から見て左右夫々の側を「左方」、「右方」と呼び、鉛直方向上側を「上方」、鉛直方向下側を「下方」と呼んで説明を行う。
【００１７】
水洗大便器ＳＤは、便器本体ＢＨと、この便器本体ＢＨの後方に設置された貯水タンク２とから構成されている。そして、貯水タンク２の上部には便器タンク用手洗い器１が載置されている。便器本体ＢＨは陶器製であり、排泄物を受け入れ、供給された洗浄水によって排泄物を下水管へと排出できるよう構成されている。貯水タンク２は、内部に洗浄水を貯水可能となっており、貯水していた洗浄水を便器本体ＢＨへ向けて排出することができるよう構成されている。
【００１８】
貯水タンク２は、洗浄水を貯水しておく樹脂製の内部タンク２ａと、この内部タンク２ａを収容した陶器製の外部タンク２ｂとで構成されている。内部タンク２ａの内部には、給水源に接続されて、給水源からの洗浄水の流入を制御するボールタップ（図示せず）が内蔵されている。また、内部タンク２ａの底部には便器本体ＢＨへ向けて洗浄水を排出するための排水弁（図示せず）が設けられている。
【００１９】
このように構成されて貯水タンク２において、貯水タンク２の側方に設けられたレバー７を操作することによって、内部タンク２ａの底部に設けられた排水弁が開き、便器本体ＢＨに内部タンク２ａから洗浄水が排出される。洗浄水の排出に伴って内部タンク２ａの貯水水位が低下し、ボールタップが開き、内部タンクに２ａへ洗浄水が供給される。また、内部タンク２ａの内部には、一端がボールタップに接続され、他端が給水部６に接続された給水配管（図示せず）が配置されており、ボールタップが開いて給水源から供給された洗浄水の一部を給水部６へ向けて供給する可能となっている。
【００２０】
便器タンク用手洗い器１の後方には、吐水部材４が固定されている。そして、便器タンク用手洗い器１が外部タンク２ｂの上端に載置されると、給水部６から吐水部材４へ向けて給水可能となっている。そのため、ボールタップが開いて内部タンク２ａへ洗浄水が供給されている状態では、吐水部材４先端にある吐水孔から吐水され、利用者は手を洗うことが可能となっている。
【００２１】
次に、便器タンク用手洗い器１の具体的構成について説明する。図３は、本発明の便器タンク用手洗い器の斜視図である。図４は、図３におけるＡ−Ａ線における断面図である。図５は、本発明における吐水部材４及び供給管３の側面図である。図６は、図4における吐水部材及び供給管を取り外した場合の手洗い器の斜視図である。
【００２２】
便器タンク用手洗い器１は、吐水部材４と、この吐水部材４の下端に接合されて下方へ伸びる供給管３と、吐水部材４が固定された蓋部材８から構成されている。蓋部材８は陶器製であり、上面が下方に向けて窪むように湾曲したボウル部９を有している。ボウル部９は底部に排水孔１１が開孔されている。ボウル部９は、吐水部材４から吐水された手洗い用の洗浄水を受け止め、この手洗い用の洗浄水は排水孔１１から内部タンク２ａへと排水されて、内部タンク２ａに貯水され、便器本体ＢＨの洗浄水として利用することが可能となっている。
【００２３】
ボウル部９の形状は、上方から見ると、前後方向の長さが左右方向の長さに比べて短い。また、側面から見ると、ボウル部９の底は、蓋部材８の底面と外部タンク２ｂ上端とが当接する設置位置よりも大幅に低い位置となっている。また、蓋部材８の外周面は、略鉛直に延びる壁面によって形成されており、その上端となるボウル部９の縁部を形成しているボウル縁部１０を上方から見ると、ボウル部９の前方にあるボウル前方縁部１０ａは前方に向けて湾曲している。ボウル部９の左右にあるボウル左右縁部１０ｂはボウル前方縁部１０ａよりも大きな曲率を有している。ボウル部９の後方にあるボウル後方縁部１０ｃは略直線状となっている。
【００２４】
また、ボウル縁部１０を横から見ると、ボウル前方縁部１０ａが最も低く、ボウル左右縁部１０ｂは前方から後方に向かって高くなるように傾斜しており、ボウル後方縁部１０ｃがボウル縁部１０の中で最も高位置となっている。そして、図４のように、横から見たボウル部９の前方におけるボウル前方縁部１０ａから排水孔１１にかけての形状は、緩やかな曲線で構成されている。ボウル部９の後方におけるボウル後方縁部１０ｃから排水孔１１にかけての形状は、前方側よりも大きな曲率の曲線で構成されている。
【００２５】
ボウル後方縁部１０ｃにおいて、左右方向の中央部が向かって突出するように形成されており、その上面が吐水部材４の底面を支持するための吐水部材支持面１４となっている。この吐水部材支持面１４および吐水部材４の底面は、前傾した傾斜面によって形成されている。
【００２６】
また、吐水部材４の底面には、この吐水部材４へ手洗い用の洗浄水を供給するための供給管３の一端が接着されている。この供給管３の他端は、図２に示す給水部６に嵌め込まれることで、給水部６から吐水部材４へと手洗い用の洗浄水を供給し。吐水孔５から吐水させることが可能である。
【００２７】
吐水部材支持面１４には、供給管３を上方から挿入するための挿通孔１２が設けられている。また、蓋部材８の後方底面には、供給管３を固定するための供給管固定面２１（図６参照）が形成されている。この供給管固定面２１には、供給管３が貫通する貫通孔１３が設けられている。この貫通孔１３は挿通孔１２よりも直径の大きい孔である。貫通孔１３の前橋は、挿通孔１２の前端よりも前方に位置している。
【００２８】
供給管３は、吐水部材４から下方へ伸びる円筒状の管材である。供給管３の下端が給水部６に嵌め込まれることで、供給管３に手洗い用の洗浄水を供給することができる。図５に示すように、供給管３は、吐水部材４の下端から斜め前方に向かって傾斜している第一供給管部３ａと、この第一供給管部３ａの下端から鉛直方向に延びる第二供給管部３ｂとを有している。これら第一供給管部３ａと第二供給管部３ｂとは共に直管であり、第一供給管部３ａと第二供給管部３ｂとは屈曲管部３ｃによって繋がれている。なお、第二供給管部３ｂの外周には、ナットを螺合するためのネジ切り部１９が形成されている。
【００２９】
供給管３の形状について、更に詳細に図５に基づいて説明する。図５に点線で示しているのは、吐水部材４の底面における第一供給管部３ａの断面中心線と、第二供給管部３ｂの断面中心線である。これら２つの中心線間の距離ΔＤは、吐水部材支持面１４に形成された挿通孔１２における第一供給管部３ａの中心位置と、供給管固定面２１に形成された貫通孔１３における第二供給管部３ｂの中心位置との偏心距離を表してしている。なお、一点鎖線は、第一供給管部３ａの断面中心線である。第一供給管部３ａは、点線と一点鎖線とが交差する角度αで鉛直方向に対して前方に向かって下り傾斜している。
【００３０】
次に、水洗大便器ＳＤの設置現場における便器タンク用手洗い器１の施工作業について説明する。最初に、蓋部材８に対する吐水部材４および供給管３の取り付け施工について説明する。吐水部材４と供給管３とは工場出荷時前に接着されて一体となっている。そのため、水洗大便器ＳＤの設置現場では、蓋部材８の上方から、供給管３の下端を挿通孔１２に挿入し、貫通孔１３を貫通させながら、吐水部材４の底面を吐水部材支持面１４に当接させる。この時、吐水部材４の底面および吐水部材支持面１４とは共に前傾するように傾斜しているため、この傾斜によって誘導されることで、吐水部材４は吐水孔５が前方を向いた状態となり、供給管３は第一供給管部３ａに対して第二供給管部３ｂがΔＤだけ前方に隔心した状態となる。
【００３１】
その後、第二供給管部３ｂの外周に形成されているネジ切り部１９に、貫通孔１３の下方から締結部材としてのナット１８を螺合させる。ナット１８を回すことで、ナット１８の上面が供給管固定面２１に突き当てながら供給管３を引き下げることができる。その引き下げにより供給管３の上端にある吐水部材４の引き下げ力を受け、吐水部材４の底面が吐水部材支持面１４に押し付けられて密着した状態とすることができる。
【００３２】
このように、蓋部材８に吐水部材４および供給管３の取り付けられた便器タンク用手洗い器１は、外部タンク２bの上端に載置されることで、便器タンク用手洗い器１の施工作業が完了する。なお、紅タンク用手洗い器１を外部タンク２bに載置する際、供給管３の下端が給水部６へ嵌め込むことで、手洗い用の洗浄水が供給可能となる。
【００３３】
以上説明してきが本発明の実施形態に係わる便器タンク用手洗い器１においては、ボウル部９が形成されている蓋部材８において、吐水部材４を取り付ける吐水部材支持面１４が、ボウル部９のボウル後方縁部１０ｃから連続した面として形成されている。すなわち、吐水部材４の取付け位置を蓋部材８の後端に近づけている。そのため、吐水部材４が取り付けられているボウル部９の前後方向の開口距離を長くして手洗い性を良好に保つことができる。また、ボウル部９の底部にある排水孔１１の位置は、吐水部材４から下方に延びる供給管３をナット１８で固定する供給管固定面２１よりも下方となっており、ボウル部９が深く形成されている。そのため、ボウル部９に手を入れやすく手洗いを容易に行うことができ、手洗い時の水飛散を抑えることができる。
【００３４】
さらに、供給管３において、吐水部材４と接合されて挿通孔１２を挿通している第一供給管部３ａの上端の管路中心よりも、貫通孔１３を貫通してナット１８によって蓋部材８に固定される第二供給管部３ｂの管路中心の方が前方に偏心している。そのため、吐水部材４の取り付け位置に比べてナット１８が固定される位置を蓋部材８の後端から離すことができる。そのため、供給管３を固定するナット１８を回すための工具を挿入スペースを確保することができ、その施工作業性を良好とすることができる。また、貫通孔１３の直径が挿通孔１２の直径よりも大きいため、屈曲した供給管３を挿通孔１２から差し込んで貫通孔１３を貫通させる作業を容易に行うことができ、蓋部材８に対する吐水部材４および供給管３の取り付け作業性を良好とすることができる。
【００３５】
また、吐水部材４取付け面および吐水部材４の底面は、前傾した傾斜面２５によって形成されているので、傾斜面２５同士を重合させることで供給管３が前方に屈曲する位置に誘導することができ、組み立て時の作業性を良好とすることができる。
【００３６】
さらに、蓋部材８を真横から見たとき、ボウル縁部１０の上端の高さが、ボウル前方縁部１０ａに比べてボウル後方縁部１０ｃの方が十分に高く形成されている。具体的には、蓋部材８の外周における貯水タンク２への載置高さを基準としたとき、ボウル前方縁部１０ａの上端までの高さに比べて、ボウル後方縁部１０ｃの上端までの高さが２倍程度となっている。そのため、ボウル部９の後方への水飛散をボウル後方縁部１０ｃによって効果的に防ぐことができる。
【００３７】
さらに、供給管３において、貫通孔１３を貫通して下方に露出する第二供給管部３ｂが略鉛直方向に延びているため、供給管３の下端を貯水タンク２の給水部６に対して嵌め込む際に、蓋部材８を鉛直下方に移動させることで行うことができ、その嵌め込み作業性を良好にすることができる。
【符号の説明】
【００３８】
ＳＤ・・・水洗大便器
ＢＨ・・・便器本体
１・・・便器タンク用手洗い器
２・・・貯水タンク
２ａ・・・内部タンク
２ｂ・・・外部タンク
３・・・供給管
３ａ・・・第一供給管部
３ｂ・・・第二供給管部
３ｃ・・・屈曲管部
４・・・吐水部材
５・・・吐水孔
６・・・給水部
７・・・レバ−
８・・・蓋部材
９・・・ボウル部
１０・・・ボウル縁部
１０ａ・・・ボウル前方縁部
１０ｂ・・・ボウル左右縁部
１０ｃ・・・ボウル後方縁部
１１・・・排水孔
１２・・・挿通孔
１３・・・貫通孔
１４・・・吐水部材支持面
１８・・・ナット（締結部材）
１９・・・ネジ切り部
２１・・・供給管固定面
【図１】
2018053485.tif 000003
【図２】
2018053485.tif 000004
【図３】
2018053485.tif 000005
【図４】
2018053485.tif 000006
【図５】
2018053485.tif 000007
【図６】
2018053485.tif 000008